(57)【要約】【課題】必要とする量（本数）の替芯を容易に取り出すことが可能であり、多量の替芯がケース本体から同時に飛び出すなどの問題点を解消した替芯ケースを提供すること。【解決手段】円筒状に成形され、一端部の周側面に軸方向に所定の長さにわたって開口部２を形成してなる外軸１と、この外軸１内に回動可能に収容され、一端部の周側面に軸方向に所定の長さにわたって開口部１４を形成してなる内軸１１とが具備され、前記内軸１１内に替芯Ｌが収納される。前記外軸１に対する前記内軸１１の特定な回動位置において、外軸１に形成された前記開口部２と内軸１１に形成された前記開口部１４とが一致して替芯の取り出し口が開放され、内軸内に収納された替芯Ｌの端部が、前記替芯の取り出し口において軸方向に露出した状態になされる。【選択図】図３
2014079881.tif 000002
【特許請求の範囲】
【請求項１】
円筒状に成形され、一端部の周側面に軸方向に所定の長さにわたって開口部を形成してなる外軸と、前記外軸内に回動可能に収容され、一端部の周側面に軸方向に所定の長さにわたって開口部を形成してなる内軸とが具備され、前記内軸内に替芯が収納される替芯ケースであって、
前記外軸に対する前記内軸の特定な回動位置において、外軸に形成された前記開口部と内軸に形成された前記開口部とが一致して替芯の取り出し口が開放され、内軸内に収納された替芯の端部が、前記取り出し口において軸方向に露出した状態になされることを特徴とする替芯ケース。
【請求項２】
前記外軸に形成された開口部は、外軸の一端部において外軸の半周にわたって周側面が切り欠かれた状態に形成されていることを特徴とする請求項１に記載された替芯ケース。
【請求項３】
前記内軸の少なくとも開口部には、軸方向に沿って平面部が形成され、前記替芯は軸方向に沿った前記平面部と内軸の内周面との間の空間部に収納されると共に、
前記替芯の取り出し口が開放された状態において、前記内軸に形成された前記平面部と、半周にわたって周側面が切り欠かれた外軸における前記開口部の開口縁とが同一面に、もしくは前記平面部が前記開口部の開口縁よりも前側に位置するように構成されていることを特徴とする請求項２に記載された替芯ケース。
【請求項４】
前記外軸の他端部に、前記内軸の他端部が軸方向に突出して回動操作部が形成され、前記外軸に対する前記回動操作部の回動操作により、前記替芯の取り出し口が開閉されるように構成したことを特徴とする請求項１ないし請求項３のいずれか１項に記載された替芯ケース。
【請求項５】
前記替芯の取り出し口が閉塞された状態において、外軸に対する内軸の回動動作に抵抗を付与するロック機構が、前記外軸と内軸との間に形成されていることを特徴とする請求項１ないし請求項４のいずれか１項に記載された替芯ケース。
【発明の詳細な説明】
【技術分野】
【０００１】
この発明は、シャープペンシル用の替芯、鉛筆芯等の筆記芯を収容する替芯ケースに関する。
【背景技術】
【０００２】
シャープペンシル用の替芯や、鉛筆芯等を収容する替芯ケースについては、従来から種々の提案がなされており、複数本の替芯が収容可能な有底状のケース本体と、このケース本体の一端部に形成された替芯取り出し口を開閉可能に覆うキャップ部材との二部品により構成されている例が多い。
【０００３】
その一つの例として、有底状のケース本体にキャップ部材が回動可能に装着され、ケース本体に対するキャップ部材の特定な回動位置において、キャップ部材に形成された開口がケース本体側の開口に連通するように構成したものが提案されており、これは特許文献１に開示されている。
【０００４】
また他の一つの例として、ケース本体の長手方向に配置された支持軸にキャップ部材が回動可能に取り付けられ、支持軸に軸支された前記キャップ部材を軸回転させることで、前記ケース本体側の替芯取り出し口が、開閉されるように構成したものが提案されており、これは特許文献２に開示されている。
【先行技術文献】
【特許文献】
【０００５】
【特許文献１】実開平７−２３５８７号公報
【特許文献２】特開２００４−３４５６９２号公報
【発明の開示】
【発明が解決しようとする課題】
【０００６】
ところで、前記した特許文献１および２に開示された替芯ケースにおいては、替芯取り出し口を開けた状態で、ケース本体が逆さになるように傾けることで、替芯がそれ自身の重力によって取り出し口から抜け出るのを利用して、替芯をケース本体から取り出すようになされる。
【０００７】
これによると、ケース本体の傾き加減を調整しつつ、ケース本体を揺り動かすなどの操作が必要であり、必要とする適切な量（本数）の替芯をケース本体から取り出すには、微妙な操作が要求される。
このために、時には必要以上の替芯、もしくは全部の替芯がケース本体から同時に飛び出して、手元から抜け落ちてしまうこともあり、床面等に散乱した替え芯を拾い戻す面倒な作業が強いられる場合が発生する。
【０００８】
この発明は、従来の替芯ケースによって生ずる前記した問題点に着目してなされたものであり、芯の取り出し口を下向きにすることなく、必要とする量（本数）の替芯を容易に取り出すことが可能であり、多量の替芯がケース本体から同時に飛び出すなどの従来のものの問題点を解消した替芯ケースを提供することを課題とするものである。
【課題を解決するための手段】
【０００９】
前記した課題を解決するためになされたこの発明にかかる替芯ケースは、円筒状に成形され、一端部の周側面に軸方向に所定の長さにわたって開口部を形成してなる外軸と、前記外軸内に回動可能に収容され、一端部の周側面に軸方向に所定の長さにわたって開口部を形成してなる内軸とが具備され、前記内軸内に替芯が収納される替芯ケースであって、前記外軸に対する前記内軸の特定な回動位置において、外軸に形成された前記開口部と内軸に形成された前記開口部とが一致して替芯の取り出し口が開放され、内軸内に収納された替芯の端部が、前記取り出し口において軸方向に露出した状態になされることを特徴とする。
【００１０】
この場合、前記外軸に形成された開口部は、望ましくは外軸の一端部において外軸の半周にわたって周側面が切り欠かれた状態に形成される。
加えて、前記内軸の少なくとも開口部には、軸方向に沿って平面部が形成され、前記替芯は軸方向に沿った前記平面部と内軸の内周面との間の空間部に収納されると共に、前記替芯の取り出し口が開放された状態において、前記内軸に形成された前記平面部と、半周にわたって周側面が切り欠かれた外軸における前記開口部の開口縁とが同一面に、もしくは前記平面部が前記開口部の開口縁よりも前側に位置するように構成されることが望ましい。
【００１１】
また、好ましい形態においては、前記外軸の他端部に、前記内軸の他端部が軸方向に突出して回動操作部が形成され、前記外軸に対する前記回動操作部の回動操作により、前記替芯の取り出し口が開閉されるように構成される。
そして、前記替芯の取り出し口が閉塞された状態において、外軸に対する内軸の回動動作に抵抗を付与するロック機構が、前記外軸と内軸との間に形成されていることが望ましい。
【発明の効果】
【００１２】
前記した構成の替芯ケースによると、外軸に対して内軸を回動させることで、外軸の周側面に形成された開口部に、替芯ケースの取り出し口を開口させることができる。これにより、内軸内に収納された替芯の端部が、前記替芯ケースの取り出し口において軸方向に露出した状態になされるので、替芯ケースの長手方向を上向き垂直から略水平の範囲、すなわち替芯ケースの取り出し口を下向きの姿勢にすることなく、替芯を取り出すことが可能となる。
【００１３】
この場合、外軸に形成された開口部は、外軸の半周にわたって周側面が切り欠かれた状態に形成され、さらに前記開口部の開口縁と同一面もしくは前側となるように、内軸内に平面部が形成されているので、替芯はその取り出し口において水平状態の前記平面部上に配列された状態で、その端部を取り出し口に露出させることができる。
したがって、替芯の端部を例えば指先で撫でるようにして軸方向に引き出すことで、そのうちの１本もしくは複数本を選択的に引き出すことが容易となり、必要とする本数を正確に替芯ケースから取り出すことが可能となる。
【００１４】
また、外軸の他端部に内軸の他端部を軸方向に突出させて内軸の回動操作部としたので、前記外軸に対する前記回動操作部の回動操作により、替芯の取り出し口を容易に開閉することが可能となる。
さらに、替芯の取り出し口が閉塞された状態において、外軸に対する内軸の回動動作に抵抗を付与するロック機構を備えたので、替芯の取り出し口が不用意に開放されて、替芯がケースから飛び出すのを防止することができる。
【図面の簡単な説明】
【００１５】
【図１】この発明に係る替芯ケースの第１の実施の形態について、全体構成を示した正面図である。
【図２】同じく全体構成を示した側面図である。
【図３】図１におけるＡ−Ａ線より矢印方向に見た全体構成の断面図である。
【図４】図１に示す状態において内軸を９０度回動させた状態の正面図である。
【図５】図１に示す状態において内軸を１８０度回動させて替芯取り出し口を開放した状態の正面図である。
【図６】外軸の単体構成を示した正面図である。
【図７】図６におけるＢ−Ｂ線より矢印方向に見た外軸の断面図である。
【図８】外軸の単体構成を示した斜視図である。
【図９】同じく前後を逆にして示した外軸の斜視図である。
【図１０】内軸の単体構成を示した正面図である。
【図１１】同じく内軸の側面図である。
【図１２】図１０におけるＣ−Ｃ線より矢印方向に見た内軸の断面図である。
【図１３】内軸の単体構成を示した斜視図である。
【図１４】内軸内に取り付けられる内装部材の単体構成を示した正面図である。
【図１５】同じく内装部材の背面図である。
【図１６】内装部材の単体構成を示した斜視図である。
【図１７】内装部材の背面部を上にして示した斜視図である。
【図１８】この発明に係る替芯ケースの第２の実施の形態について、全体構成を示した正面図である。
【図１９】同じく全体構成を示した側面図である。
【図２０】図１８におけるＤ−Ｄ線より矢印方向に見た全体構成の断面図である。
【図２１】図１８に示す状態において内軸を９０度回動させた状態の正面図である。
【図２２】図１８に示す状態において内軸を１８０度回動させて替芯取り出し口を開放した状態の正面図である。
【図２３】第２の実施の形態における外軸の単体構成を示した正面図である。
【図２４】図２３におけるＥ−Ｅ線より矢印方向に見た外軸の断面図である。
【図２５】第２の実施の形態における内軸の単体構成を示した正面図である。
【図２６】同じく内軸の側面図である。
【図２７】第２の実施の形態における内軸の単体構成を示した斜視図である。
【発明を実施するための形態】
【００１６】
この発明に係る替芯ケースについて、図に示す実施の形態に基づいて説明する。
なお、以下に示す各図においては、同一部分もしくは相当する部分を同一符号で示しているが、一部の図面においては代表的な部分に符号を付けて、詳細な構成についてはその他の図面に付けた符号を引用して説明することもある。
【００１７】
まず図１〜図１７は第１の実施の形態を示したものであり、図１〜図３に組み立て状態の全体図で示したとおり、この発明に係る替芯ケースは、円筒状に成形されて、一端部の周側面に軸方向に所定の長さにわたって開口部２を形成してなる外軸１と、前記外軸１内に回動可能に収容された円筒状の内軸１１と、前記内軸１１内に嵌合状態で取り付けられた内装部材２１より構成されている。
【００１８】
また、前記外軸１の他端部の開口には、前記内軸１１の他端部が軸方向に突出し、この突出部が回動操作部１２を構成している。すなわち、前記回動操作部１２の回動操作により、前記外軸１に対して内軸１１が相対的に回動されるように構成されている。
図１に示されているように、前記回動操作部１２の一部には、前記回動操作部１２の回動方向を示す矢印マーク１３が施されている。
【００１９】
図４は、前記した回動操作部１２を利用して前記外軸１に対して内軸１１を矢印マーク１３が示す矢印方向に９０度回動させた状態を示しており、図５は前記外軸１に対して内軸１１を矢印マーク１３が示す矢印方向に１８０度回動させて、替芯Ｌの取り出し口１４が開放された状態を示している。
すなわち、替芯Ｌの取り出し口１４は、図１〜図３に示す状態で閉塞状態になされ、図５に示す状態で開放状態になされる。
【００２０】
図６〜図９は、前記した外軸１の単体構成を示したものであり、この外軸１は有底筒状に成形されると共に、その底部側の一端部において、前記した開口部２が外軸１の半周にわたって周側面が軸方向に所定の長さで切り欠かれた状態で形成されている。
一方、前記した外軸１の他端部側における開口の内周面には、図７および図９に示されているように環状に突出した係止部３が形成されており、この係止部３は前記した内軸１１を回動可能に係止するために利用される。
【００２１】
また、外軸１における環状の係止部３の形成位置よりも外軸１のさらに他端部側に近い内側面には、図９に示されているように小突起４が軸方向に形成されている。この小突起４は外軸１内に内軸１１が回動可能に装着された状態において、外軸１に対する内軸１１の回動動作に、抵抗およびクリック作用を付与するロック機構として機能する。なお、このロック機構については内軸１１の構成の説明と共に、後で説明する。
【００２２】
図１０〜図１３は、内軸１１の単体構成を示したものであり、この内軸１１は全体が概ね円筒状に成形されて、一端部の対向する周側面が軸方向に所定の長さにわたってそれぞれ切り欠かれた状態に成形されている。そして、この実施の形態においては、一方の切り欠き部によって形成された開口部１４を、替芯Ｌの取り出し口（開口部１４と同一符号で示す。）として利用するように構成されている。
また、内軸１１に形成された前記開口部１４には、図１２に示されているように軸方向に沿って平面部１５が、内軸１１と一体に成形されている。
【００２３】
前記内軸１１の他端部側の外周面には、周方向に環状に形成された一対の環状突出部１６が形成されており、また前記環状突出部１６と前記した回動操作部１２との間には、内軸１１の半周にわたって外径を太くする大径部１７が形成されている。さらに前記大径部１７の周方向の端部に隣接して、円弧状凸部１８が形成されている。
【００２４】
なお、前記した回動操作部１２には、その周側面の対向する位置に、一対の肉厚部１２ａが形成されており、これは内軸１１を前記外軸１内に装着して、図１〜図３に示す替芯ケースが組み立てられた状態において、前記回動操作部１２の肉厚部１２ａが、前記外軸１の外径よりも僅かに外側に突出して、替芯ケースの転がり止めとしての機能を果たすように作用する。
また、内軸１１に形成された前記回動操作部１２の内周面には、図１２に示されているように、この内軸１１に装着される内装部材２１を嵌合して取り付けるための嵌合突起１９が環状に形成されている。
【００２５】
図１４〜図１７は、前記した内軸１１内に嵌め込まれて取り付けられる内装部材２１の構成を示したものであり、この内装部材２１の一端部には、半円筒部２２が形成されると共に、この半円筒部２２に続いて平面体２３が形成されている。
この平面体２３の背面には、長さ方向および周方向に間欠的にリブ２４が形成されており、これらのリブ２４が前記平面体２３の補強を果たしている。
前記平面体２３に続いて円板体２５が形成されており、この円板体２５と内装部材２１の他端部との間には、円板状に成形されて、その周側縁に環状溝２６を形成した嵌合鍔が形成されている。そして内装部材２１の他端部には円板状の蓋体２７が形成されている。
【００２６】
前記内装部材２１は、前記した半円筒部２２を先にして、内軸１１の回動操作部１２側の開口から挿入されることで、内軸１１内に取り付けられる。
この場合、内軸１１に形成された前記平面部１５の面と、内装部材２１に形成された前記平面体２３の面とが面一となるようにして、前記内装部材２１を内軸１１内に押し込む操作がなされる。
【００２７】
この実施の形態においては、前記した押し込み操作により、図１２に示した平面部１５の後端部１５ａに、図１４に示した平面体２３の前端部２３ａが当接し、この状態で図１２に示した内軸１１の嵌合突起１９に、図１４に示した内装部材２１の環状溝２６が嵌まり込んで嵌合される。この時、内軸１１の回動操作部１２における端部開口に、内装部材２１に形成された蓋体２７が嵌まり込み、これにより前記した端部開口は封止される。
【００２８】
斯くして、内軸１１内には平面部１５に続いて平面体２３が同一面で位置し、内軸１１内に収納される前記替芯Ｌは、軸方向に沿った前記平面部１５および平面体２３と、内軸１１の内周面との間の空間部（図３に符号Ａで示す。）内に収納されることになる。
【００２９】
前記内装部材２１が装着された内軸１１は、開口部１４が形成された側の先端部を、外軸１の前記した他端部側の開口に挿入することで、外軸１内に取り付けられる。
この場合、内軸１１に形成した一対の環状突出部１６の間に、外軸１の内周面に形成した環状の係止部３が入り込み、外軸１に対して内軸１１が回動可能に装着される。
この状態で、前記外軸１に形成された図９に示す小突起４と、前記内軸１１に形成された大径部１７および円弧状凸部１８とによりロック機構が構成される。
【００３０】
すなわち、図１〜図３に示すように、替芯Ｌの取り出し口１４が閉塞されている状態においては、外軸１に形成された図９に示す小突起４が、内軸１１に形成された大径部１７と円弧状凸部１８の間に位置するようになされる。これにより、外軸１に対する内軸１１の回動動作に抵抗が与えられてロック状態になされる。
そして、図１〜図３に示す状態において、内軸１１の回動操作部１２を矢印マーク１３の方向に回動することで、内軸１１に形成された前記した円弧状凸部１８が、外軸１の内周面に形成された図９に示す小突起４を乗り越えて回動する。
【００３１】
前記円弧状凸部１８が、前記小突起４を乗り越える時に、回動操作に抵抗ならびにクリック感が伴われ、引き続く内軸１１の矢印マーク１３で示された方向への回動操作により、図５に示すように替芯の取り出し口１４が開放されるようになされる。
この図５に示す状態においては、前記内軸１１に形成された大径部１７の周方向の端部が、外軸１の内周面に形成された小突起４に当接して、内軸１１の回動が阻止される。
これにより、内軸１１は外軸１内で１８０度の範囲内で往復方向に回動可能となるように構成されている。
【００３２】
また、この実施の形態においては、図５に示すように替芯の取り出し口１４が開放された状態においては、前記内軸１１の前端部側に形成された前記平面部１５と、半周にわたって周側面が切り欠かれた外軸１における前記開口部１４の開口縁１４ａとが同一面になるように構成されている。
【００３３】
したがって、この発明に係る替芯ケースの第１の実施の形態によると、替芯ケースの長手方向をほぼ水平にした状態で、図５に示すように替芯Ｌの取り出し口１４を解放することで、前記取り出し口１４から替芯Ｌを引き出すことが可能となる。
この場合、替芯Ｌはその取り出し口１４において、水平状態の前記した平面部１５上に配列された状態で、その端部が取り出し口１４に露出される。
それ故、替芯Ｌの端部を例えば指先で撫でるようにして取り出し口１４から軸方向に引き出すことで、替芯Ｌを選択的に取り出すことができるなど、前記した発明の効果の欄に記載したとおりの作用効果を得ることができる。
【００３４】
なお、前記した替芯ケースの第１の実施の形態においては、図５に示すように替芯の取り出し口１４が開放された状態において、内軸１１に形成された前記平面部１５は、外軸１に形成された開口部１４の開口縁１４ａとが同一面になるように構成されている。
しかし前記した構成に限らず、内軸１１に形成された前記平面部１５は、外軸１に形成された開口部１４の開口縁１４ａよりも前側に位置するように、すなわち前記開口縁１４ａは前記平面部１５よりも突出していない状態に構成されていてもよい。
この構成によっても、外軸１に形成された開口部１４の開口部１４ａは、替芯Ｌの取り出しに支障を与えることはなく、前記した発明の効果の欄に記載したとおりの作用効果を得ることができる。
【００３５】
次に図１８〜図２７は、この発明に係る替芯ケースの第２の実施の形態を示したものである。なお図１８〜図２７に示す第２の実施の形態においては、すでに説明した図１〜図１７に示す第１の実施の形態における各部と同一の機能を果たす部分を同一符号で示している。したがって、その詳細な説明は適宜省略する。
【００３６】
この第２の実施の形態においては、第１の実施の形態において別部品として成形した内軸１１と内装部材２１とを一体に成形している点に、大きな相異がある。
図１８〜図２０は、第１の実施の形態における図１〜図３の記載に相当するものであり、替芯ケースの組み立て状態を全体図で示したものである。
【００３７】
この第２の実施の形態に係る替芯ケースは、第１の実施の形態に比較して、長手方向の前後に若干丸みを付けた形態になされている。
また、図１８および図１９の比較からも理解できるとおり、内軸１１の端部に形成された回動操作部１２は、全体が楕円形状になされており、この楕円形状が替芯ケースの転がり止めとしての機能を果たすようになされている。
【００３８】
図２１および図２２は、第１の実施の形態における図４および図５の記載に相当するものであり、回動操作部１２を利用して前記外軸１に対して内軸１１を、９０度および１８０度回動させた状態を示しており、これは替芯Ｌの取り出し口１４が、開放される経過を示している。
【００３９】
また、図２３および図２４は、外軸１の単体構成を示したものであり、これは第１の実施の形態における図６および図７の記載に相当するものとなる。図２４に外軸１の断面図で示したとおり、外軸１の端部開口の内周面には、環状に突出した係止部３が形成され、さらに開口縁には小突起４が形成されている。
この係止部３は内軸１１を回動可能に係止するためのものであり、また小突起４は内軸１１の回動動作に、抵抗およびクリック作用を付与するロック機構として機能するものとなる。
【００４０】
図２５〜図２７は、内軸１１の単体構成を示したものであり、これは第１の実施の形態における図１０、図１１および図１３の記載に相当するものとなる。
この内軸１１には、図１０、図１１に示した例と同様に、周方向に環状に形成された一対の環状突出部１６が形成されており、また内軸１１の前記した回動操作部１２に近い位置に、周方向に隣接して２つの小突起が形成され、この２つの突起城の間に凹部２０が形成されている。
【００４１】
図２５〜図２７に示した内軸１１は、図２３および図２４に示した外軸１内に圧入されることで、内軸１１に形成した一対の環状突出部１６の間に、外軸１の内周面に形成された環状の係止部３が入り込み、外軸１に対して内軸１１が回動可能に装着される。
このようにして組み立てられた替芯ケースは、外軸１に対して内軸１１を相対回動させて、替芯の取り出し口１４が閉塞された状態においてロック機能が働くように構成されている。
【００４２】
このロック機能は、外軸１に形成された小突起４が、内軸１１に形成された凹部２０に入り込むことで、ロック動作が働くように構成されている。すなわち、外軸１に対して内軸の回動操作部１２を相対回動させることによりクリック動作を伴なってロック状態が解除され、また替芯の取り出し口１４が閉塞される状態において、クリック動作を伴なってロック状態になされるように作用する。
【００４３】
以上説明した第２の実施の形態においても、先に説明した第１の実施の形態と基本的な機能は同一であり、同様の作用効果を得ることができる。
【符号の説明】
【００４４】
１      外軸
２      開口部
３      係止部
４      小突起
１１    内軸
１２    回動操作部
１２ａ  肉厚部
１３    矢印マーク
１４    開口部（替芯の取り出し口）
１４ａ  開口縁
１５    平面部
１６    環状突出部
１７    大径部
１８    円弧状凸部
１９    嵌合突起
２０    凹部
２１    内装部材
２２    半円筒部
２３    平面体
２４    リブ
２５    円板体
２６    環状溝
２７    蓋体
Ａ      替芯の収容空間部
Ｌ      替芯
【図１】
2014079881.tif 000003
【図２】
2014079881.tif 000004
【図３】
2014079881.tif 000005
【図４】
2014079881.tif 000006
【図５】
2014079881.tif 000007
【図６】
2014079881.tif 000008
【図７】
2014079881.tif 000009
【図８】
2014079881.tif 000010
【図９】
2014079881.tif 000011
【図１０】
2014079881.tif 000012
【図１１】
2014079881.tif 000013
【図１２】
2014079881.tif 000014
【図１３】
2014079881.tif 000015
【図１４】
2014079881.tif 000016
【図１５】
2014079881.tif 000017
【図１６】
2014079881.tif 000018
【図１７】
2014079881.tif 000019
【図１８】
2014079881.tif 000020
【図１９】
2014079881.tif 000021
【図２０】
2014079881.tif 000022
【図２１】
2014079881.tif 000023
【図２２】
2014079881.tif 000024
【図２３】
2014079881.tif 000025
【図２４】
2014079881.tif 000026
【図２５】
2014079881.tif 000027
【図２６】
2014079881.tif 000028
【図２７】
2014079881.tif 000029